(57)【特許請求の範囲】
【請求項１】
本体部と、伸縮率が前記本体部の伸縮率よりも低くなるように構成され、着用時に周囲よりも強い圧力が得られる帯状の緊締部とにより構成され、
前記緊締部は、脚の根元の内側から大腿部の前側を通り、斜め下方向に向かって脚の外側まで延在する第一の緊締部と、脚の根元とほぼ同じ高さに位置する脚の外側から大腿部の前側を通り、斜め下方向に向かって脚の内側まで延在する第二の緊締部とのみから形成され、
前記第一の緊締部と前記第二の緊締部は、大腿部の前側であって人体の腸棘点と膝蓋中央点との中間点に対応する部分で交差するように形成され、
前記中間点は、前記腸棘点から当該中間点までの長さと、当該中間点から前記膝蓋中央点までの長さとの比が４：６〜６：４となる範囲内にあることを特徴とするボトム衣類。
【請求項２】
前記緊締部の交差部分における着用圧と、前記緊締部のうち前記交差部分以外における着用圧と、前記緊締部以外における着用圧との関係が、
前記交差部分における着用圧  ＞  前記緊締部のうち前記交差部分以外における着用圧  ＞  前記緊締部以外における着用圧
であることを特徴とする請求項１記載のボトム衣類。
【請求項３】
前記緊締部の交差部分における着用圧が、３０〜６０[ｇｆ／ｃｍ２]であり、前記緊締部のうち前記交差部分以外における着用圧が、１５〜５０[ｇｆ／ｃｍ２]であり、前記緊締部以外における着用圧が、０〜３０[ｇｆ／ｃｍ２]であることを特徴とする請求項２記載のボトム衣類。
【請求項４】
前記緊締部の交差部分での着用圧は、前記交差部分の上側、右上側、右側、右下側、下側、左下側、左側、左上側における８箇所の周辺領域での着用圧に対して、１．２〜３．７倍であることを特徴とする請求項１記載のボトム衣類。
【請求項５】
前記緊締部の交差部分での着用圧は、前記８箇所の周辺領域のうち前記緊締部部分にある周辺領域での着用圧に対しては、１．２〜１．６倍であり、前記８箇所の周辺領域のうち前記緊締部部分以外にある周辺領域での着用圧に対しては、１．９〜３．７倍であること特徴とする請求項４記載のボトム衣類。
【請求項６】
本体部と、伸縮率が前記本体部の伸縮率よりも低くなるように構成され、着用時に周囲よりも強い圧力が得られる緊締部とにより構成され、
前記緊締部は、大腿部の前側であって人体の腸棘点と膝蓋中央点との中間点に対応する部分付近にのみ形成され、
前記中間点は、前記腸棘点から当該中間点までの長さと、当該中間点から前記膝蓋中央点までの長さとの比が４：６〜６：４となる範囲内にあることを特徴とするボトム衣類。
【請求項７】
前記緊締部における着用圧が、３０[ｇｆ／ｃｍ２]以上であり、当該緊締部以外における着用圧が、３０[ｇｆ／ｃｍ２]以下であるとともに、前記緊締部における着用圧と当該緊締部以外における着用圧との圧力差が１０[ｇｆ／ｃｍ２]以上あることを特徴とする請求項１または６記載のボトム衣類。
【発明の詳細な説明】
【技術分野】
【０００１】
本発明は、ヒップアップ用のボトム衣類に関する。
【背景技術】
【０００２】
特許文献１には、日常生活を送るだけで所望の筋肉を容易かつ簡単に増強する脚力増強衣類が開示されている。この脚力増強衣類は、筋肉に沿う方向に強伸縮部を配置して、この強伸縮部から直接筋肉に負荷を与えることによって筋力を増強させている。すなわち、増強させたい筋肉に対して直接負荷を与えることによって筋肉を鍛えるものである。
【特許文献１】特開２００２−２１２８１４号公報
【特許文献２】特開平１１−６１５１６号公報
【発明の開示】
【発明が解決しようとする課題】
【０００３】
上述した特許文献１に記載された脚力増強衣類では、強伸縮部を配置した部位の筋力を増強することが目的であるため、美しいプロポーションが得られるとは限らない。例えば、特許文献１の図２には、臀部に細長い帯状の強伸縮部を設けているが、この場合に筋力が増強されるのは、強伸縮部が配置されている臀部周辺にある筋肉だけである。したがって、この場合には、美しくヒップアップすることは困難である。【０００４】
そこで、本発明は、美しくヒップアップすることができるボトム衣類を提供することを目的とする。
【課題を解決するための手段】
【０００５】
本発明のボトム衣類は、大腿部の前側であって人体の腸棘点と膝蓋中央点との中間点に対応する部分に緊締部を有することを特徴とする。このようなボトム衣類を着用すると、緊締部が、人体の腸棘点と膝蓋中央点との中間点に対応する部位に当接するため、この部位に位置する大腿四頭筋に対して強い緊締力をかけることが可能となる。これにより、大腿四頭筋が刺激されるため、自然に脚が後まで大きく蹴られることになり、大殿筋が使われることになる。したがって、本発明のボトム衣類を着用することにより、容易に美しいヒップラインを形成させることができる。【０００６】
本発明のボトム衣類において、緊締部における着用圧が、３０[ｇｆ／ｃｍ２]以上であり、当該緊締部以外における着用圧が、３０[ｇｆ／ｃｍ２]以下であるとともに、緊締部における着用圧と当該緊締部以外における着用圧との圧力差が１０[ｇｆ／ｃｍ２]以上あることが好ましい。これにより、着用者に圧迫感を与えることなく、大腿四頭筋に刺激を与えることができるため、大殿筋が使われつつ、着用者に圧迫感を与えないボトム衣類を提供することができる。【０００７】
本発明のボトム衣類において、緊締部は、上記中間点に対応する部分で交差するように形成されることが好ましい。これにより、緊締部の交差部分には、より緊締力がかかるようになるため、腸棘点と膝蓋中央点との中間点に対応する部位をより刺激することができる。したがって、より容易により美しいヒップラインを形成させることができる。【０００８】
本発明のボトム衣類において、緊締部の交差部分における着用圧と、緊締部のうちの交差部分以外における着用圧と、緊締部以外における着用圧との関係が、“交差部分における着用圧  ＞  緊締部のうちの交差部分以外における着用圧  ＞  緊締部以外における着用圧”となることが好ましい。さらに、緊締部の交差部分における着用圧が、３０〜６０[ｇｆ／ｃｍ２]であり、緊締部のうちの交差部分以外における着用圧が、１５〜５０[ｇｆ／ｃｍ２]であり、緊締部以外における着用圧が、０〜３０[ｇｆ／ｃｍ２]であることが好ましい。これにより、着用者に圧迫感を与えることなく、大腿四頭筋に刺激を与えることができるため、大殿筋が使われつつ、着用者に圧迫感を与えないボトム衣類を提供することができる【０００９】
本発明のボトム衣類において、緊締部の交差部分での着用圧は、交差部分の上側、右上側、右側、右下側、下側、左下側、左側、左上側における８箇所の周辺領域での着用圧に対して、１．２〜３．７倍であることが好ましい。さらに、緊締部の交差部分での着用圧は、８箇所の周辺領域のうち当て布部分にある周辺領域での着用圧に対しては、１．２〜１．６倍であり、８箇所の周辺領域のうち緊締部部分以外にある周辺領域での着用圧に対しては、１．９〜３．７倍であることが好ましい。これにより、着用者に圧迫感を与えることなく、大腿四頭筋に刺激を与えることができるため、大殿筋が使われつつ、着用者に圧迫感を与えないボトム衣類を提供することができる。【００１０】
本発明のボトム衣類において、上記中間点は、腸棘点から当該中間点までの長さと、当該中間点から膝蓋中央点までの長さとの比が４：６〜６：４となる範囲内にあることが好ましい。これにより、緊締部の交差部分を大腿四頭筋のほぼ中央部分に位置させることが可能になるため、より効果的に大腿四頭筋に刺激を与えることができる。
【発明の効果】
【００１１】
本発明に係るボトム衣類によれば、美しくヒップアップすることが容易にできるという優れた効果が期待できる。
【図面の簡単な説明】
【００１２】
【図１】人の歩行時の側面図である。
【図２】人の歩行時の側面図である。
【図３】本実施形態におけるガードルを示す図である。
【図４】歩行時に大殿筋が使われるようになる原理について説明するための図である。
【図５】歩行時に大殿筋が使われるようになる原理について説明するための図である。
【図６】歩行時に大殿筋が使われるようになる原理について説明するための図である。
【図７】歩行時に大殿筋が使われるようになる原理について説明するための図である。
【図８】本実施形態におけるガードルを着用した人体の下半身を正面から見た図である。
【図９】身長が異なるモニターの人体上の寸法を示した図である。
【図１０】ダミーの正面図である。
【図１１】本体部を構成する生地の緊締力と当て布を構成する生地の緊締力との関係を示す図である。
【図１２】各サンプルの各測定ポイントにおける着用圧を示す図である。
【図１３】サンプルの交差部分の周辺にある８箇所の周辺領域を示す図である。
【図１４】モニターから聞き出した着用感について説明するための図である。
【符号の説明】
【００１３】
１・・・ボトム衣類、２・・・本体部、３ａ，３ｂ・・・当て布、１１・・・大腿四頭筋、１２・・・大腿二頭筋、１３・・・大殿筋、１４・・・大腿直筋、２１・・・腸棘点、２２・・・膝蓋中央点。
【発明を実施するための最良の形態】
【００１４】
実施形態の説明に先立ち、図１および図２を参照して、本願発明の背景となる引き締まったヒップ（美しいヒップライン）について説明する。図１および図２は、人が歩行しているときの側面図である。【００１５】
本願発明者は、引き締まったヒップを実現するにあたって、大殿筋を鍛えることによりヒップが引き締まるという事実に着目した。ここで、大殿筋は、脚を後まで大きく蹴ることにより鍛えられる筋肉である。したがって、歩くときに脚を後まで大きく蹴ることができれば、大殿筋が鍛えられヒップが引き締まることになる。【００１６】
図１は、大殿筋をよく使った歩き方を説明するための図である。図１に示すように、大腿部の前側には大腿四頭筋１１があり、大腿部の後側には大腿二頭筋１２がある。大腿四頭筋１１は、主に膝を伸展させる筋肉であり、大腿二頭筋１２は、主に脚を後に蹴る筋肉である。図１に示すように、脚を後まで（矢印Ｄ１の方向に）大きく蹴ることにより、大殿筋１３が収縮する。したがって、このように脚を後まで大きく蹴る歩き方をすれば、大殿筋１３をよく使った歩き方をしていることになる。一方、図２は、大殿筋をほとんど使わない歩き方を説明するための図である。図２に示すように、例えば、膝を曲げたまま歩いた場合には、脚が後まで蹴られないため、大殿筋１３が収縮しない。すなわち、大殿筋１３が弛緩したままとなる。したがって、このように膝を曲げたまま歩いているときには、大殿筋１３がほとんど使われない状態で歩いていることになる。【００１７】
ところで、世の中にはたるんできたお尻を引き締めたいというニーズがあるとともに、プロポーションを維持するために日頃からなるべく歩くように心がけている人が多い。そこで、本願発明者は、ヒップが引き締められる歩き方、すなわち脚を後まで大きく蹴る歩き方を常日頃からできるようにすれば、歩くだけで引き締まったヒップを実現することができるとの知見を得て、本発明を完成した。【００１８】
以下、本発明の実施形態を図面に基づき説明する。なお、同一要素には同一符号を付し、重複する説明を省略する。【００１９】
本願発明者は、上述した観点から図３に示すようなボトム衣類を作成した。図３に示すボトム衣類１は、ヒップトレーニング用のガードルであり、ウェストラインから膝上までの長さを有し、前身頃と後身頃とが互いに縫合されることにより筒形状となっている。ボトム衣類１は、本体部２と当て布（緊締部）３ａ，３ｂにより構成される。なお、以下において、当て布３ａと当て布３ｂとを特に区別する必要がない場合には、当て布３と記載することとする。当て布３は、大腿部の前側部分において帯状に形成され、大腿部の中央付近で互いに交差する。具体的には、当て布３ｂは脚の根元の内側から大腿部の前側を通り、斜め下方向に向かって脚の外側までに延在している。一方、当て布３ａは脚の根元とほぼ同じ高さに位置する脚の外側から大腿部の前側を通り、斜め下方向に向かって脚の内側までに延在している。当て布３ａと３ｂとは、大腿部の前側中央付近で交差し、菱形の交差部分３ａｂを形成している。この当て布３の交差部分３ａｂは、大腿四頭筋１１の一部である大腿直筋１４に刺激を与えられる位置に形成される。なお、この場合の緊締部とは、本体部の生地よりも低い伸縮率の生地から構成され、着用時に周囲よりも強い圧力が得られる部分のことである。【００２０】
次に、図４〜図７を参照して、ボトム衣類１の着用者が歩行することによって、大殿筋が使われるようになる原理について説明する。まず、図４に示すように、着用者が歩き出すために脚を前方に上げることによって、着用者の大腿四頭筋１１に当て布３からの緊締力がかかり、この緊締力により大腿四頭筋１１が刺激される。なお、この場合の緊締力とは、着用時にボトム衣類から受ける力のことを意味する。【００２１】
ここで、当て布３ａ，３ｂは、互いに交差するように形成され、かつ帯状に形成されているため、筋肉に刺激を加えながらも筋肉の働きを妨げることのない構造になっている。したがって、図５に示すように、脚が前方に上げられて大腿四頭筋に刺激が加えられると、膝の伸展運動が増大することになる。【００２２】
膝の伸展運動が増大すると、図６に示すように、膝下が矢印Ｄ２の方向に振り上げられて、膝が伸びるため、着用者の歩幅が広がることになる。歩幅が広がると、図７に示すように、着用者は従来のボトム衣類着用時よりも前に（矢印Ｄ３の方向に）体を移動させる必要に駆られ、その結果、脚を後まで（矢印Ｄ４の方向に）大きく蹴ることになる。これにより、大殿筋が使われることになる。【００２３】
次に、図８を参照して、当て布の交差部分３ａｂの位置について説明する。図８に示すように、当て布の交差部分３ａｂは、ボトム衣類１を着用したときに、人体の腸棘（上前腸骨棘）点２１と膝蓋中央点２２との中間点（大腿直筋の筋腹）に対応する部分に位置する。ここで、中間点は、腸棘点２１から当該中間点までの長さと、当該中間点から膝蓋中央点２２までの長さとの比が“４：６”〜“６：４”となる範囲内に位置することが好ましい。これにより、当て布の交差部分３ａｂが大腿四頭筋のほぼ中央部分に位置することとなるため、より効果的に大腿四頭筋に刺激を与えることができる。【００２４】
次に、図９を参照して、身長が異なるモニターの人体上の寸法について説明する。図９は、各モニターの身長ごとに、各モニターの腸棘点２１から膝蓋中央点２２までの寸法と、各モニターの腸棘点２１から膝蓋中央点２２までの寸法を２で割った値（腸棘点２１から、当該腸棘点２１と膝蓋中央点２２との中点までの寸法）とが示されている。なお、腸棘点２１と膝蓋中央点２２との中点とは、腸棘点２１から中間点までの長さと、中間点から膝蓋中央点２２までの長さとの比が“５：５”である場合における中間点をいう。【００２５】
図９に示すように、各モニターの身長は、１５１．２[ｃｍ]〜１６９．９[ｃｍ]であり、腸棘点２１から膝蓋中央点２２までの寸法は、４１．３[ｃｍ]〜４７．７[ｃｍ]である。また、腸棘点２１から、当該腸棘点２１と膝蓋中央点２２との中点までの寸法は、２０．７[ｃｍ]〜２３．９[ｃｍ]である。したがって、このモニター結果によると、身長が、１５１．２[ｃｍ]〜１６９．９[ｃｍ]である場合には、腸棘点２１から、当該腸棘点２１と膝蓋中央点２２との中点までの寸法は、２０．７[ｃｍ]〜２３．９[ｃｍ]であることがわかる。【００２６】
次に、図３に示すボトム衣類１をダミーに着用させて、ダミーの腸棘点２１からボトム衣類１の当て布の交差部分３ａｂまでの寸法を測定してところ、ダミーの腸棘点２１から交差部分３ａｂの上端までが１６．５[ｃｍ]であり、ダミーの腸棘点２１から交差部分３ａｂの下端までが２３．５[ｃｍ]であった。したがって、ダミーに着用させたボトム衣類１においては、着用者の腸棘点２１と膝蓋中央点２２との中点が、腸棘点２１から１６．５[ｃｍ]〜２３．５[ｃｍ]の範囲にあれば、当該中点が当て布の交差部分３ａｂに覆われることとなる。【００２７】
ここで、上述した各モニターの腸棘点２１から、当該腸棘点２１と膝蓋中央点２２との中点までの寸法は、２０．７[ｃｍ]〜２３．９[ｃｍ]である（図９参照）。したがって、図９に示す各モニターの腸棘点２１と膝蓋中央点２２との中点（長さ比が“５：５”）は、そのほとんどがボトム衣類１の当て布の交差部分３ａｂに覆われることになる。それ故、ボトム衣類１の当て布の交差部分３ａｂは、各モニターの腸棘点２１と膝蓋中央点２２との中間点（長さ比が“４：６”〜“６：４”）が存在する範囲内の領域の一部を、必ず覆うことになる。【００２８】
図１０を参照して、ボトム衣類１を着用させたダミー（ＦＲＰ製）の各部位の寸法について説明する。図１０に示すダミーＭは、下半身（膝〜ウェスト上）のみのダミーである。図１０に示すように、ダミーＭのウェストＸの寸法は、床高さが５５３[ｍｍ]、周径が６５０[ｍｍ]、横径が２３０[ｍｍ]、厚径が１６５[ｍｍ]である。ダミーＭのヒップＹの寸法は、床高さが３８５[ｍｍ]、周径が８９５[ｍｍ]、横径が３２０[ｍｍ]、厚径が２１５[ｍｍ]である。ダミーＭの脚の付根Ｚの寸法は、床高さが２８５[ｍｍ]、周径が５２０[ｍｍ]、横径が１５０[ｍｍ]、厚径が１７０[ｍｍ]である。また、ダミーＭの腸棘点が位置する部位の寸法は、床高さが４３５[ｍｍ]、周径が８４５[ｍｍ]、横径が３０５[ｍｍ]、厚径が２０２[ｍｍ]である。【００２９】
次に、図１１を参照して、ボトム衣類１の本体部２と当て布３を構成する生地の緊締力（パワー）について説明する。本願発明者は、本体部２と当て布３を構成する生地の緊締力によって、大殿筋に対してどのような効果があるのかを調べるために実験を行った。この実験を行うにあたって、サンプルとして、ガードルサイズ６４のガードルを用い、サンプルの本体部２と当て布３とを、緊締力の異なる３種類の生地を用いて構成することにした。各生地の緊締力は、生地Ｓ１，生地Ｓ２，生地Ｓ３の順に強くなるようにした。具体的な数値で表すと、本実施形態における各生地の圧力値は、生地Ｓ１が１７．４[ｇｆ／ｃｍ２]であり、生地Ｓ２が２１．５[ｇｆ／ｃｍ２]であり、生地Ｓ３が３５．２[ｇｆ／ｃｍ２]である。【００３０】
図１１に示すようにサンプルＡは、本体部２に生地Ｓ１を使用し、当て布３に生地Ｓ２を使用したものであり、サンプルＢは、本体部２に生地Ｓ２を使用し、当て布３に生地Ｓ１を使用したものである。サンプルＣは、本体部２に生地Ｓ２を使用し、当て布３に生地Ｓ２を使用したものであり、サンプルＤは、本体部２に生地Ｓ２を使用し、当て布３に生地Ｓ３を使用したものである。サンプルＥは、本体部２に生地Ｓ３を使用し、当て布３に生地Ｓ２を使用したものであり、サンプルＦは、本体部２に生地Ｓ２を使用し、当て布３を形成しないものである。【００３１】
これらのサンプルＡ〜Ｆを５名のモニターにそれぞれ着用してもらい、各サンプルＡ〜Ｆが大殿筋に対して有効な効果を有するか否かについての判断をするための実験を行った。この実験は以下の条件で行った。サンプルＡ〜Ｆの着用者に、トレッドミル上で４．２ｋｍ／ｈの速さで歩行してもらい、歩行開始から１分後に筋電計で大殿筋の筋電位を測定した。この測定の結果得られた筋電図に基づいて、測定開始から１６秒間のＲＭＳ（Root Mean Square）の値を算出して大殿筋の放電量を導出した。なお、ＲＭＳ値を求める際に、筋電図に表された成分から５ｈｚ以下および２５０ｈｚ以上の成分をカットした。【００３２】
本願発明者は、当て布３を形成した各サンプルＡ〜Ｅにおける放電量が、当て布３を形成しないサンプルＦにおける放電量よりも多いか否かにより、大殿筋に対して有効な効果を有するか否かについて判断することとした。すなわち、各サンプルＡ〜Ｅにおける放電量が、サンプルＦにおける放電量よりも多い場合には、大殿筋に対して有効な効果を有すると判断する。【００３３】
上述した実験の結果、サンプルＡにおける放電量についてはサンプルＦにおける放電量よりも少なかったが、サンプルＢ〜Ｅにおける放電量についてはサンプルＦにおける放電量よりも多かった。したがって、本願発明者は、サンプルＢ〜Ｅについては、大殿筋に対して有効な効果を有すると判断した。なお、本実験においては、大殿筋の放電量の他に、ハムストリングス（大腿ニ頭筋、半腱様筋、半膜様筋の総称）の筋電位についても測定した。その結果、ハムストリングスの放電量は、大殿筋の放電量と同様に、サンプルＢ〜Ｅにおける放電量がサンプルＦにおける放電量よりも多いことが判明した。すなわち、サンプルＢ〜Ｅは、脚を後に蹴る運動にも効果的であることが判明した。このことからも、サンプルＢ〜Ｅは、大殿筋に対して有効な効果を有することがわかる。【００３４】
次に、上述した各サンプルＡ〜Ｆを上述したダミーＭに着用させ、各サンプルＡ〜Ｆの所定の測定ポイントにかかる着用圧を測定した。この場合の着用圧とは、着用状態において、ボトム衣類から受ける圧力のことを意味する。なお、本実施形態における測定ポイントは、当て布の交差部分３ａｂと、当て布が形成されていない大腿部の後側部分である。図１２は、各サンプルＡ〜Ｆの各測定ポイントにおける着用圧を示す図である。図１２に示すように、サンプルＡの交差部分の着用圧は２８．８[ｇｆ／ｃｍ２]であり、後側部分の着用圧は、１７．４[ｇｆ／ｃｍ２]である。サンプルＢの交差部分の着用圧は３７．１[ｇｆ／ｃｍ２]であり、後側部分の着用圧は、２０．４[ｇｆ／ｃｍ２]である。サンプルＣの交差部分の着用圧は３５．５[ｇｆ／ｃｍ２]であり、後側部分の着用圧は、２１．５[ｇｆ／ｃｍ２]である。サンプルＤの交差部分の着用圧は３７．５[ｇｆ／ｃｍ２]であり、後側部分の着用圧は、２１．３[ｇｆ／ｃｍ２]である。サンプルＥの交差部分の着用圧は５１．４[ｇｆ／ｃｍ２]であり、後側部分の着用圧は、３５．２[ｇｆ／ｃｍ２]である。サンプルＦの交差部分の着用圧は２２．５[ｇｆ／ｃｍ２]であり、後側部分の着用圧は、１８．８[ｇｆ／ｃｍ２]である。なお、着用圧が６０．０[ｇｆ／ｃｍ２]を超える場合には、着用者が圧迫感を受け、衣類がきついと感じる割合が多くなるという不都合が生じる。【００３５】
上述した測定ポイントの着用圧を測定する際に用いた測定器は、株式会社エイエムアイ社製の接触圧測定器（エアーパック式）であり、各仕様は、卓上タイプ：ＡＭＩ３０３７−２０、センサー部：直径２０[ｍｍ]、最大測定値：約１５０００[Ｐａ]、ガイドチューブ：１．５[ｍ]である。また、着用圧の測定方法としては、例えば、ダミーまたは人体の測定部位に圧力センサーを取り付けて、ボトム衣類を着用させた状態でボトム衣類から圧力センサーにかかる圧力を測定する。【００３６】
サンプルＡ〜Ｆを用いた実験を行った結果、本体部２の緊締力と当て布３の緊締力に関して、以下のような特徴を見いだすことができた。【００３７】
（１）本体部２の緊締力が弱い場合には大殿筋への有効な効果が期待できない。（２）当て布３の緊締力が強いほど大殿筋への効果が大きくなる傾向にある。【００３８】
以上より、本願発明者は、当て布の交差部分３ａｂの着用圧が３０[ｇｆ／ｃｍ２]未満である場合には、大殿筋への有効な効果がほとんど期待できず、当て布の交差部分３ａｂの着用圧が６０[ｇｆ／ｃｍ２]を超える場合には、大殿筋への効果は大きいが着用者への圧迫感が大きくなりすぎるとの結論に達した。すなわち、当て布の交差部分３ａｂの着用圧が、およそ３０〜６０[ｇｆ／ｃｍ２]であれば、大殿筋への効果を有し、かつ、着用者に圧迫感を与えないボトム衣類を提供することができると考えた。さらに、当て布の交差部分３ａｂの着用圧が、３４〜３８[ｇｆ／ｃｍ２]である場合が、より好ましいとの結論に達した。【００３９】
また、当て布の交差部分３ａｂの着用圧と、当て布３のうちの交差部分３ａｂ以外の着用圧と、当て布３以外（本体部２）の着用圧との関係が、“交差部分の着用圧  ＞  当て布３のうちの交差部分以外の着用圧  ＞  当て布３以外の着用圧”となることが好ましく、具体的には、当て布の交差部分３ａｂの着用圧が、３０〜６０[ｇｆ／ｃｍ２]であり、当て布３のうちの交差部分以外の着用圧が、１５〜５０[ｇｆ／ｃｍ２]であり、当て布３のうちの交差部分以外の着用圧が、０〜３０[ｇｆ／ｃｍ２]であることが好ましいとの結論に達した。【００４０】
次に、本願発明者は、当て布の交差部分３ａｂの着用圧が、３４．６[ｇｆ／ｃｍ２]となるサンプルを作成した。そして、このサンプルの交差部分の周辺にある８箇所の周辺領域における着用圧を測定してみた。ここで、図１３を参照して、８箇所の周辺領域について説明する。図１３は、右足の太股部分を前側から見たときの図である。同図に示すように、８箇所の周辺領域Ｒ１〜Ｒ８とは、Ｒ１が交差部分の上側の領域であり、Ｒ２が交差部分の右上側の領域であり、Ｒ３が交差部分の右側の領域であり、Ｒ４が交差部分の右下側の領域であり、Ｒ５が交差部分の下側の領域であり、Ｒ６が交差部分の左下側の領域であり、Ｒ７が交差部分の左側の領域であり、Ｒ８が交差部分の左上側の領域である。【００４１】
上記測定の結果、上側領域Ｒ１の着用圧は、９．５[ｇｆ／ｃｍ２]であり、右上側領域Ｒ２の着用圧は、２８．６[ｇｆ／ｃｍ２]であり、右側領域Ｒ３の着用圧は、１４．４[ｇｆ／ｃｍ２]であり、右下側領域Ｒ４の着用圧は、２２．８[ｇｆ／ｃｍ２]であり、下側領域Ｒ５の着用圧は、１１．７[ｇｆ／ｃｍ２]であり、左下側領域Ｒ６の着用圧は、２６．９[ｇｆ／ｃｍ２]であり、左側領域Ｒ７の着用圧は、１７．８[ｇｆ／ｃｍ２]であり、左上側領域Ｒ８の着用圧は、２５．３[ｇｆ／ｃｍ２]であった。また、当て布３が形成されていない大腿部の後側部分の着用圧は、１８．１[ｇｆ／ｃｍ２]であった。【００４２】
周辺領域Ｒ１〜Ｒ８の着用圧のうち、最小値は、上側領域Ｒ１における９．５[ｇｆ／ｃｍ２]であり、最大値は、右上側領域Ｒ２における２８．６[ｇｆ／ｃｍ２]である。したがって、当て布の交差部分３ａｂにおける着用圧は、周辺領域Ｒ１〜Ｒ８における着用圧に対して、およそ１．２〜３．７倍であることがわかる。【００４３】
周辺領域のうち、当て布３部分にある周辺領域は、右上側領域Ｒ２、右下側領域Ｒ４、左下側領域Ｒ６の着用圧、および左上側領域Ｒ８の４箇所の周辺領域である。この４箇所の周辺領域における着用圧のうち、最小値は、右下側領域Ｒ４における２２．８[ｇｆ／ｃｍ２]であり、最大値は、右上側領域Ｒ２における２８．６[ｇｆ／ｃｍ２]である。したがって、当て布の交差部分３ａｂにおける着用圧は、４つの周辺領域Ｒ２，Ｒ４，Ｒ６，Ｒ８における着用圧に対して、１．２〜１．６倍であることがわかる。【００４４】
周辺領域のうち、当て布３部分以外にある周辺領域は、上側領域Ｒ１、右側領域Ｒ３、下側領域Ｒ５の着用圧、および左側領域Ｒ７の４つの周辺領域である。この４箇所の周辺領域における着用圧のうち、最小値は、上側領域Ｒ１における９．５[ｇｆ／ｃｍ２]であり、最大値は、左側領域Ｒ７における１７．８[ｇｆ／ｃｍ２]である。したがって、当て布の交差部分３ａｂにおける着用圧は、４箇所の周辺領域Ｒ１，Ｒ３，Ｒ５，Ｒ７における着用圧に対して、およそ１．９〜３．７倍であることがわかる。【００４５】
また、大腿部の後側部分の着用圧は、１８．１[ｇｆ／ｃｍ２]であるため、当て布の交差部分３ａｂにおける着用圧は、大腿部の後側部分における着用圧に対して、およそ１．９倍であることがわかる。【００４６】
次に、本願発明者は、上述した当て布の交差部分３ａｂの着用圧が３４．６[ｇｆ／ｃｍ２]となるサンプルから、交差部分３ａｂ以外の当て布を除いたサンプル、すなわちクロス構造を有さないサンプルを作成した。上述したクロス構造を有するサンプルから交差部分３ａｂ以外の当て布を除いたことにより、クロス構造を有さないサンプルの当て布部分における着用圧が２８．７[ｇｆ／ｃｍ２]に減少した。これは、当て布の交差部分３ａｂ以外を除去することにより、大腿直筋の筋腹にテンションがかかりにくくなることが原因であると考えられる。これにより、大殿筋への有効な効果を有すると確認されている３０[ｇｆ／ｃｍ２]を下回ることとなった。【００４７】
このようなクロス構造を有さないサンプルについて、上述したクロス構造を有するサンプルと同様にして、クロス構造を有さないサンプルの当て布部分に対する８箇所の周辺領域での着用圧を測定した。【００４８】
上記測定の結果、上側領域の着用圧は、１３．４[ｇｆ／ｃｍ２]であり、右上側領域の着用圧は、１８．９[ｇｆ／ｃｍ２]であり、右側領域の着用圧は、１７．５[ｇｆ／ｃｍ２]であり、右下側領域の着用圧は、１７．５[ｇｆ／ｃｍ２]であり、下側領域の着用圧は、１６．９[ｇｆ／ｃｍ２]であり、左下側領域の着用圧は、１８．６[ｇｆ／ｃｍ２]であり、左側領域の着用圧は、１７．２[ｇｆ／ｃｍ２]であり、左上側領域の着用圧は、２１．９[ｇｆ／ｃｍ２]であった。また、当て布３が形成されていない大腿部の後側部分の着用圧は、１７．５[ｇｆ／ｃｍ２]であった。【００４９】
周辺領域の着用圧のうち、最小値は、上側領域における１３．４[ｇｆ／ｃｍ２]であり、最大値は、左上側領域における２１．９[ｇｆ／ｃｍ２]である。したがって、当て布部分における着用圧は、周辺領域における着用圧に対して、およそ１．３〜２．２倍であることがわかる。【００５０】
また、大腿部の後側部分の着用圧は、１７．５[ｇｆ／ｃｍ２]であるため、当て布部分における着用圧は、大腿部の後側部分における着用圧に対して、およそ１．６倍であることがわかる。【００５１】
ここで、図１３を参照して、当て布３の幅および形状について説明する。図１３に示す当て布３は、ほぼ同等の幅を有する直線状の布により形成されているが、当て布３の幅および形状は、これに限られない。例えば、図１３に示す当て布３ａの幅を、当て布３ｂの幅よりも広くしてもよい。具体的には、例えば、当て布３ａの幅を４．５[ｃｍ]にし、当て布３ｂの幅を５．５[ｃｍ]にする等である。また、例えば、当て布３の幅を一定にせず、外側よりも内側の方が細くなるように変化させてもよい。具体的には、例えば、図１３に示す右側領域Ｒ３における当て布３ｂの幅および交差部分３ａｂにおける当て布３ｂの幅を５．５[ｃｍ]にし、右上側領域Ｒ２の当て布３ｂの幅を、交差部分側から右端側にかけて徐々に細くなるようにしてもよい（例えば、交差部分側を５．５[ｃｍ]にし、右端側を３．５[ｃｍ]にする等）。さらに、当て布３の形状を湾曲状にしてもよい。具体的には、例えば、図１３に示す当て布３ｂの形状を上側が凸状になるように湾曲させてもよい。当て布３の幅および形状を、上述した具体例のようにすることで、太股の外側部分に、より緊締力（パワー）がかりやすくなるという効果を奏する。これは、歩行時に脚を後に蹴り上げた場合には、大腿四頭筋が収縮することによって太股の前面、特に前面の外側部分が膨らむため、太股の外側部分に当接する当て布の緊締力を強めることでサポート効果をより向上させることができるという事実に起因するものである。【００５２】
次に、図１４を参照して、上述したクロス構造を有するサンプルを１ヶ月間着用した１０名のモニターから聞き出した着用感について説明する。図１４に示すように、モニター実施前よりヒップが高くなったと評価したモニターは１０名中６名であった。また、モニター実施前よりヒップが大きくなったと評価したモニターは１０名中１名であったのに対し、モニター実施前よりヒップが小さくなったと評価したモニターは１０名中５名であった。また、モニター実施前より太股が細くなったと評価したモニターは１０名中９名であった。さらに、着け心地が良いと評価したモニターは１０名中８名であった。【００５３】
また、着用者の具体的な回答例としては、“モニター実施前よりヒップが引き締まって硬くなった”（１０名中４名）、“ジーンズがすっと入るようになった”（１０名中３名）、“太股の間に隙間ができた”（１０名中３名）等があった。【００５４】
また、モニターのヒップの形状を、モニター期間の前後で実際に測定してみたところ、１０名中８名のモニターに関しては、ヒップの形状に変化が見られることが確認された。ヒップの形状に変化が見られたモニターのうち、以前からヒップが垂れていたモニターについては、ヒップの位置が上がり、以前からヒップが垂れていなかったモニターについては、殿溝から太股がすっきりしたことが確認された。なお、ヒップの形状に変化が見られなかった２名のモニターは、１日に５０００歩未満しか歩かなかったことが確認されている。国民栄養調査によると、日本人の平均歩数は、男性が８２００歩であり、女性が７３００歩である。したがって、ヒップの形状に変化が見られなかった２名のモニターは、サンプルを着用して歩く機会が少なかったために、ヒップの形状に変化が見られなかったと考えられる。また、これら１０名のモニターとは別のモニターに、当て布のないガードルを１ヶ月着用してもらったが、このモニターのヒップの形状には変化が見られなかった。【００５５】
なお、上述した実施形態においては、ボトム衣類１に形成させる当て布は、正面から見て“×”形状に形成させているが、形成させる当て布は“×”形状に限られない。例えば、“＋”形状であってもよい。要するに、当て布を交差させて、かつ、この交差部分に、腸棘点と膝蓋中央点との中間点が位置することが好ましい。【００５６】
また、上述した実施形態においては、２枚の帯状の当て布３ａ，３ｂ（緊締部）を交差するように形成しているが、当て布のうち、交差部分３ａｂ以外に形成される当て布を取り除き、交差部分３ａｂだけを形成することとしてもよい。この場合には、当て布における着用圧を、３０[ｇｆ／ｃｍ２]以上とし、当該当て布以外（本体部）における着用圧を、３０[ｇｆ／ｃｍ２]以下とするとともに、当て布における着用圧と当て布以外における着用圧との圧力差が１０[ｇｆ／ｃｍ２]以上となるように当て布および本体部を構成することが好ましい。これにより、着用者に圧迫感を与えることなく、大腿四頭筋に刺激を与えることができるため、大殿筋が使われつつ、着用者に圧迫感を与えないボトム衣類を提供することが可能となる。【００５７】
また、上述した実施形態においては、ボトム衣類１に当て布を用いることにより緊締部を形成しているが、緊締部を形成するものは当て布に限られない。例えば、ダーツを用いて形成してもよい。また、本体部と緊締部を、経編みと丸編み（横編み）によるパワー切り替えによって切り替えてもよい。また、緊締部分に対応する布地に対してボーンまたはポリウレタン樹脂を付与することによって、当該布地に強い緊締力を付与させることとしてもよい。【００５８】
また、上述した実施形態におけるボトム衣類の股布（クロッチ）部分には、高伸縮性の素材を使用することが好ましい。これは、本実施形態におけるボトム衣類を着用して歩行すると、歩幅が広がるようになるため、歩幅を広げる動作を妨げないようにするためである。【００５９】
また、上述した実施形態においては、ボトム衣類について、ガードルを用いて説明しているが、本発明は、ガードル以外にも適用可能である。例えば、スパッツ、メンズ用スパッツ、ストッキング、タイツ、サポーターおよびガーターベルト等のボトム衣類にも適用可能である。【００６０】
本発明は、ボトム衣類において、大腿部の前側部分であって腸棘点と膝蓋中央点との中間点に対応する部分に緊締部を設けることにより、大腿四頭筋に刺激を与え、かつ大腿四頭筋の動きを妨げないという点を基本構成としている。これにより、着用者の脚が自然に後まで大きく蹴られるようになるため、大殿筋がよく使われるようになる。したがって、本発明に係るボトム衣類を着用して歩行するだけで、自然に引き締まったヒップを実現することができる。かかる構成であれば、上記の実施形態に限らず、種々の態様が可能である。例えば、緊締部の形状は、上述した実施形態における当て布の形状に限らず、他の形状であってもよい。
【図１】
0003924586.tif 000002
【図２】
0003924586.tif 000003
【図３】
0003924586.tif 000004
【図４】
0003924586.tif 000005
【図５】
0003924586.tif 000006
【図６】
0003924586.tif 000007
【図７】
0003924586.tif 000008
【図８】
0003924586.tif 000009
【図９】
0003924586.tif 000010
【図１０】
0003924586.tif 000011
【図１１】
0003924586.tif 000012
【図１２】
0003924586.tif 000013
【図１３】
0003924586.tif 000014
【図１４】
0003924586.tif 000015